(57)【要約】【課題】構造が簡単で、従来にない特殊な模様を投影することができ、投影方向を所望する方向に変えることができる投影装置を提供する【解決手段】投影装置１は、投影部本体２を有する。投影部本体２は、第１の投影表示体１２０と、第１の投影表示体１２０の内側に設けられた第２の投影表示体６５と、第２の投影表示体６５と第１の投影表示体１２０の内側から照らして、第１の投影表示体１２０と第２の投影表示体６５の表示を重ね合わせて投影する光源２０が設けられている。第２の投影表示体６５は、投影部本体２に設けられた駆動手段２８によって揺動及び往復動するようになっている。投影部本体２は、基台１３１に回動可能且つ回動した位置で静止できるように取り付けられ、投影方向を変えることができるようになっている。【選択図】        図１
2004147703.tif 000002
【特許請求の範囲】
【請求項１】
投影部本体を有し、
投影部本体は、第１の投影表示体と、第１の投影表示体の内側に設けられた第２の投影表示体と、第２の投影表示体と第１の投影表示体の内側から照らして、第１の投影表示体と第２の投影表示体の表示を重ね合わせて投影する光源が設けられた投影装置であって、
第２の投影表示体は、投影部本体に設けられた駆動手段によって揺動するようになっていることを特徴とする投影装置。
【請求項２】
第２の投影表示体は、駆動手段によって揺動方向と略直角の方向に往復動するようになっていることを特徴とする請求項２記載の投影装置。
【請求項３】
投影部本体を有し、
投影部本体は、第１の投影表示体と、第１の投影表示体の内側に設けられた第２の投影表示体と、第２の投影表示体と第１の投影表示体の内側から照らして、第１の投影表示体と第２の投影表示体の表示を重ね合わせて投影する光源が設けられた投影装置であって、
第２の投影表示体は、投影部本体に設けられた駆動手段によって第１の投影表示体と略平行に往復動するようになっていることを特徴とする投影装置。
【請求項４】
投影部本体と基台とからなり、投影部本体は、基台に回動可能且つ回動した位置で静止できるように取り付けられ、投影方向を変えることができるようになっていることを特徴とする請求項１、２又は３記載の投影装置。
【発明の詳細な説明】
【０００１】
【発明の属する技術分野】
本願発明は、２つの投影表示体に表示された２つの模様を重ね合わせて投影する投影装置に関する。
【０００２】
【従来の技術】
従来、ドーム状に形成された投影表示体を駆動装置により回転させて、内側に設けられた光源によって投影表示体を照らし投影する投影装置が存在した（例えば、特許文献１）。また、駆動手段によって回転する第１の筒型投影表示体と、第１の筒型投影表示体の外側に設けられた第２の投影表示体と、第１の筒型投影表示体と第２の投影表示体の内側から照らして、第１の筒型投影表示体と第２の投影表示体の表示を重ね合わせて投影する光源が設けられた投影装置も存在した（例えば、特許文献２）。
【０００３】
【特許文献１】
実開平１−１１２８９８号公報
【０００４】
【特許文献２】
実用新案登録第３０２６４５５号公報
【０００５】
【発明が解決しようとする課題】
上記投影装置は、光源によって照らされる投影表示体が常に一方向に回転して、投影された模様が一方向に流れるものであり、水面の波模様や、キラキラ光る模様等の特殊な模様を作ることができないという問題点があった。さらに、投影方向が一定で、投影方向を任意の所望する方向に変えることができないという問題点があった。
【０００６】
本願発明は、上記問題点に鑑み発明されたものであって、構造が簡単で、従来にない特殊な模様を投影することができる投影装置を提供することを第１の目的とする。また、投影方向を任意の所望する方向に変えることができる投影装置を提供することを第２の目的とする。
【０００７】
【課題を解決するための手段】
本願請求項１記載の投影装置は、上記第１の目的を達成するため、投影部本体を有し、投影部本体は、第１の投影表示体と、第１の投影表示体の内側に設けられた第２の投影表示体と、第２の投影表示体と第１の投影表示体の内側から照らして、第１の投影表示体と第２の投影表示体の表示を重ね合わせて投影する光源が設けられた投影装置であって、第２の投影表示体は、投影部本体に設けられた駆動手段によって揺動するようになっている。
【０００８】
本願請求項２記載の投影装置は、上記第１の目的を達成するため、上記第２の投影表示体は、駆動手段によって揺動方向と略直角の方向に往復動するようになっている。
【０００９】
本願請求項３記載の投影装置は、上記第１の目的を達成するため、投影部本体を有し、投影部本体は、第１の投影表示体と、第１の投影表示体の内側に設けられた第２の投影表示体と、第２の投影表示体と第１の投影表示体の内側から照らして、第１の投影表示体と第２の投影表示体の表示を重ね合わせて投影する光源が設けられた投影装置であって、第２の投影表示体は、投影部本体に設けられた駆動手段によって第１の投影表示体と略平行に往復動するようになっている。
【００１０】
本願請求項４記載の投影装置は、上記第２の目的を達成するため、投影部本体と基台とからなり、投影部本体は、基台に回動可能且つ回動した位置で静止できるように取り付けられ、投影方向を変えることができるようになっている。
【００１１】
【発明の実施の形態】
本願発明に係る投影装置の実施の形態を、図１乃至図８に基づいて説明する。図１は、本願発明に係る投影装置の一つの実施の形態を示す全体斜視図である。図２は、図１の投影装置の全体側面断面図である。図３は、図１の投影装置の全体正面断面図である。図４は、図１の投影装置の分解斜視図である。図５は、図１の投影装置の第１の使用状態を示す説明図である。図６は、図１の投影装置の動きを説明する説明図である。図７は、図１の投影装置の動きを説明する説明図である。図８は、図１の投影装置の他の使用状態を示す説明図である。
【００１２】
投影装置１は、投影部本体２を有する。投影部本体２は、第１の投影表示体１２０と、第１の投影表示体１２０の内側に設けられた第２の投影表示体６５と、第２の投影表示体６５と第１の投影表示体１２０の内側から照らして、第１の投影表示体１２０と第２の投影表示体６５の表示を重ね合わせて投影する光源２０が設けられている。第２の投影表示体６５は、投影部本体２に設けられた駆動手段２８によって揺動するようになっている。
【００１３】
第２の投影表示体６５は、駆動手段２８によって揺動方向と略直角の方向に往復動するようになっている。第２の投影表示体６５は、投影部本体２に設けられた駆動手段２８によって第１の投影表示体１２０と略平行に往復動するようになっていても構わない。投影部本体２は、基台１３１に回動可能且つ回動した位置で静止できるように取り付けられ、投影方向を変えることができるようになっている。
【００１４】
投影装置の実施の形態について詳細に説明する。投影装置１は、投影部本体２を有する。投影部本体２は、細長いカプセル状に形成され、基部３と、前枠１００と、後枠１１０と、第１の投影表示体１２０と、第２の投影表示体６５と、駆動手段２８を有する。
【００１５】
基部３は、半円筒状に形成された周壁１１と、周壁１１の上端に設けられた上壁１２とからなる。上壁１２の略中央部には、矩形状の凹部１３が形成されている。矩形状の凹部１３は、底壁１５と、底壁１５の前部に設けられた前壁１６と、底壁１５の後部に設けられた後壁１７と、底壁１５の右部に設けられた右壁１８と、底壁１５の左部に設けられた左壁１９とからなる。
【００１６】
底壁１５には、電球（光源）２０が設けられている。また、上壁１２の凹部１３を挟んで前後には、抜け止め防止のためのフランジ２２が形成された支軸２１を取り付けるための取付凹部２４，２５が形成されている。この取付凹部２４，２５に取り付けられた支軸２１，２１の先端は、凹部１３内に突出している。
【００１７】
上壁１２の前端下面には、環状の取付壁２７が形成されている。この取付壁２７には、駆動モータ３０が固定して取り付けられ、駆動モータ３０の駆動軸３１が上壁１２の上部に突出している。この駆動軸３１の突出部には、駆動歯車３２が設けられている。上壁１２の駆動軸３１を挟んで前後には、第１の取付軸３３と第２の取付軸３５が取り付けられている。
【００１８】
第１の取付軸３３には、前記駆動歯車３２と噛み合う平歯車３６が回動自在に取り付けられている。この平歯車３６には、小プーリ３７が一体的に若しくは固定して設けられている。第２の取付軸３５には、大プーリ４０が回動自在に取り付けられている。前記小プーリ３７と大プーリ４０には、ベルト３９が巻き掛けられ、小プーリ３７の回転が大プーリ４０に伝達される。大プーリ４０の側面の一側には、偏心ピン４１が突設されている。なお、前記第１の取付軸３３の上端は、上壁１２に設けられた一対の取付ボス４２，４２にネジ４３，４３によって取り付けられた軸受け板４５の軸受け孔４６に軸受けされている。
【００１９】
前記凹部１３内には、略ロ字状の枠部材５０が設けられている。この枠部材５０は、前桟部５１と、後桟部５２と、右桟部５３と、左桟部５４とからなる。前桟部５１と後桟部５２には、軸受け板５５，５６が一体形成され、軸受け板５５，５６には軸受け孔５７，５９が形成されている。枠部材５０は、軸受け板５５，５６の軸受け孔５７，５９に前記支軸２１，２１が差し込まれ、この支軸２１，２１によって回動自在に支持されている。
【００２０】
一方の軸受け板５５には、これと略直角となる突出片６１が設けられ、この突出片６１に透孔６２が形成されている。枠部材５０は、この突出片６１の透孔６２に前記偏心ピン４１が嵌挿され、この偏心ピン４１の回転によって、支軸２１を中心として揺動し、且つ前後方向（支軸２１の軸方向）に往復動する。前桟部５１と後桟部５２と右桟部５３と左桟部５４には、係合突起６３が設けられている。
【００２１】
第２の投影表示体６５は、透過性を有する素材で蒲鉾状に形成され、且つ赤色等に着色され、半円筒状の周面６６と、周面６６の前後に設けられた前，後面６７，６８とからなる。前面６７及び後面６８には、前記軸受け板５５，５６を嵌合する嵌合凹部６９，７０が形成されている。第２の投影表示体６５は、周面６６と前，後面６７，６８の端縁７１，７２，７３が前記枠部材５０の係合突起６３に係合して、枠部材５０に着脱自在に取り付けられている。周面６６には、凹凸等によって模様７５が形成されている。第２の投影表示体６５は、駆動モータ３０、駆動歯車３２、平歯車３６、小プーリ３７、ベルト３９、大プーリ４０、偏心ピン４１、枠部材５０からなる駆動手段２８によって、揺動し、且つ前後方向に往復動する。
【００２２】
基部３の両側前部には、軸受け部８０，８０が設けられている。軸受け部８０は、前後方向に伸びる枠部８１と、この枠部８１に取り付けられる軸受け部材８２と、軸受け部材８２を外側に付勢する弾性部材８３とからなる。枠部８１は、上枠８５と下枠８６とからなり、ネジ８９によって上枠８５と下枠８６が一体的に連結されて組み立てられている。上枠８５と下枠８６の開口８１ａ側縁には、ガイド縁８５ａ，８６ａが突設されている。上枠８５，８５は、基部３の両側に一体形成されている。左右の下枠８６，８６は、湾曲した連結部材９０によって連結されて形成され、連結部材９０がネジ９１によって基部３の下部に取り付けられている。
【００２３】
軸受け部材８２は、細長形状に形成され、前面９２が枠部８１の開口８１ａ側に位置しており、前面９２に前後方向に伸びるガイド溝９３が形成されている。ガイド溝９３の前端部には、放射状の第１の係止溝９４と第２の係止溝９５が等間隔で形成されている。この軸受け部材８２は、左右方向に移動自在であると共に、枠部８１内に設けられたコイルスプリング状の弾性部材８３，８３によって開口８１ａ側に付勢されている。軸受け部材８２は、側面９６に略Ｕ字状の切り欠き９７，９７が形成され、前記ネジ８９、８９に切り欠き９７，９７が係合し、前後方向の動きが規制されている。
【００２４】
後枠１１０は、略半球体状に形成され、内部に隔壁１１１と、隔壁１１１に設けられた略コ字状の枠部１１２と、枠部１１２の両端下縁に設けられた取付板１１３，１１３と、枠部１１２の前端に設けられた押さえ板１１５とが形成されている。取付板１１３には、ネジを通すネジ通し穴１１６が形成されている。押さえ板１１５の下端には、軸受け凹部１１９が形成されている。後枠１１０は、取付板１１３，１１３を基部３の上壁１２に載せ、ネジ１１８，１１８をネジ通し穴１１６，１１６に通して、上壁１２に形成された雌ネジ部１２ａ，１２ａにねじこむことによって、基部３に固定して取り付けられ、軸受け凹部１１９が前記支軸２１を軸受けする。
【００２５】
同様に前枠１００は、略半球体状に形成され、内部に隔壁１０１と、隔壁１０１に設けられた略コ字状の枠部１０２と、枠部１０２の両端下縁に設けられた取付板１０３，１０３と、枠部１０２の前端に設けられた押さえ板とが形成されている。取付板１０３には、ネジを通すネジ通し穴１０６が形成されている。押さえ板の下端には、後枠１１０と同様に、軸受け凹部が形成されている。前枠１００は、取付板１０３，１０３を基部３の上壁１２に載せ、ネジ１１８，１１８をネジ通し穴１０６，１０６に通して、上壁１２に形成された雌ネジ部１２ｂ，１２ｂにねじこむことによって、基部３に固定して取り付けられ、押さえ板の軸受け凹部が前記支軸２１を軸受けする。
【００２６】
第１の投影表示体１２０は、透過性を有する素材で蒲鉾状に形成され、且つ赤色等に着色され、半円筒状の周面１２１と、周面１２１の前後に設けられた前，後面１２２，１２３とからなる。前面１２２及び後面１２３には、前記前枠１００の枠部１０２と前記後枠１１０の枠部１１２を嵌合する嵌合凹部１２５，１２６が形成されている。第１の投影表示体１２０は、周面１２１の端縁１２７，１２８が基部３の上壁１２に形成された係止爪３ａ、３ｂに係止され、嵌合凹部１２５，１２６が前記前枠１００の枠部１０２と前記後枠１１０の枠部１１２に嵌合して、基部３に着脱自在に取り付けられている。周面１２１には、凹凸等によって模様１３０が形成されている。
【００２７】
投影部本体２は、基台１３１に回動可能且つ回動した位置で静止できるように取り付けられている。基台１３１は、中空状に形成され、両側に軸受け壁１３２，１３２が形成されている。軸受け壁１３２，１３２の上部には、前記軸受け部材８２のガイド溝９３を摺動自在に案内するガイド突起１３３が形成されたガイド部材１３５がネジ１３６によって回動不能に固定されている。このガイド部材１３５は、前記基部３の枠部８１内で、ガイド縁８５ａ，８６ａに摺動自在にガイドされる略円形のフランジ１３７を有し、このフランジ１３７にガイド突起１３３が一体形成されている。ガイド突起１３３は、本実施の形態では、略水平に延設されている。軸受け部材８２は、弾性部材８３によってフランジ１３７に圧接している。
【００２８】
基台１３１の内部には、電池１４１を収容する収容部１４２が形成され、さらに図示しないタイマーが設けられている。また、基台１３１の側面には、ＯＮスイッチ１４３と、ＯＦＦスイッチ１４５と、タイマースイッチ１４６が設けられている。電池１４１と、図示しないタイマーと、ＯＮスイッチ１４３と、ＯＦＦスイッチ１４５と、タイマースイッチ１４６と、駆動モータ３０と、電球（光源）２０は、電気コード１５０によって電気的に接続され、回路を構成している。この電気コード１５０は、基台１３１の一側に形成された開口１５１から導出し、基部３の一側に形成された開口１５２から導入している。
【００２９】
投影装置１は、上記構成を有し、以下のように使用することができる。最初に、所望する任意の投影方向に投影部本体２の向きを変える。例えば、真上に投影する場合には、投影部本体２を水平にし、投影部本体２をガイド部材１３５のガイド突起１３３に沿って前方に移動させると、図５に示すように、ガイド部材１３５が軸受け部材８２のガイド溝９３の後端部に位置し、即ちガイド部材１３５が投影部本体２の略中心に位置し、投影部本体２を安定して支持する。ガイド突起１３３は、略水平に延設され、これを形成するガイド部材１３５は基台１３１に回動不能に取り付けられているので、ガイド溝９３、即ち軸受け部材８２が略水平に支持される。軸受け部材８２は、弾性部材８３，８３によって付勢され、ガイド部材１３５のフランジ１３７に圧接しているため、投影部本体２が静止した状態で保持される。
【００３０】
投影装置１は、図７に示すように、斜め上に投影する場合には、投影部本体２の水平状態から、図６に示すように、投影部本体２をガイド部材１３５のガイド突起１３３に沿って後方に移動させる。このようにすると、ガイド部材１３５が軸受け部材８２のガイド溝９３の前端部に位置する。この前端部を中心として後枠１１０側を立ち上げると、ガイド部材１３５のガイド突起１３３が、前面９２を弾性部材８３，８３の弾性に抗して乗り越えて、第１の係止溝９４に係止されるので、軸受け部材８２が傾斜して支持される。上記したように、軸受け部材８２は、弾性部材８３，８３によって付勢され、ガイド部材１３５のフランジ１３７に圧接しているため、投影部本体２が回動した位置で静止した状態で保持される。
【００３１】
投影装置１は、図８に示すように、真横に投影する場合には、図７に示す状態から、さらに前端部を中心として後枠１１０側を立ち上げると、ガイド部材１３５のガイド突起１３３が、前面９２を弾性部材８３，８３の弾性に抗して乗り越えて、第２の係止溝９５に係止されるので、軸受け部材８２が略垂直に支持される。上記したように、軸受け部材８２は、弾性部材８３，８３によって付勢され、ガイド部材１３５のフランジ１３７に圧接しているため、投影部本体２が略垂直に回動した位置で静止した状態で保持される。このように、投影装置１は、投影方向を所望する任意の方向に変えることができる。
【００３２】
ＯＮスイッチ１４３を押すと、電球（光源）２０が点灯し、駆動手段２８の駆動モータ３０が駆動する。ＯＦＦスイッチ１４５を押すと、電球（光源）２０が消灯し、駆動手段２８の駆動モータ３０が駆動を停止する。なお、ＯＮスイッチ１４３を押した後、タイマースイッチ１４６を押すと、タイマーにより所定時間経過後、自動的に、電球（光源）２０が消灯し、駆動モータ３０の駆動が停止する。
【００３３】
電球（光源）２０が点灯すると、内側から第２の投影表示体６５及び第１の投影表示体１２０を照らし、第２の投影表示体６５に形成された模様７５と第１の投影表示体１２０に形成された模様１３０を重ね合わせて投影する。駆動モータ３０が駆動すると、駆動軸３１、駆動歯車３２、平歯車３６、小プーリ３７、ベルト３９、大プーリ４０を介して偏心ピン４１を回転させる。偏心ピン４１が回転すると、枠部材５０が、図２の矢印で示すように、前後方向に往復動し、さらに図３に示すように、左右方向に揺動する。
【００３４】
第２の投影表示体６５は、枠部材５０と同様に、前後方向に往復動し、左右方向に揺動するので、第２の投影表示体６５に投影される模様も前後左右に移動し、このように複雑に動く模様７５が第１の投影表示体１２０の模様１３０と複雑に絡まって、水面の波模様や、キラキラ光る模様等の従来にない興趣ある模様１４０を投影することができる。なお、第２の投影表示体６５の複雑な動きは、一つの駆動モータ３０によってできるので、投影装置１を安価に製造することができる。また、上記したように、第２の投影表示体６５及び第１の投影表示体１２０は、着脱して交換することができるので、多種多様な模様１４０を投影することができる。
【００３５】
【発明の効果】
以上説明してきたように、本願発明に係る投影装置は、第１の投影表示体及び第２の投影表示体と、第２の投影表示体と第１の投影表示体の内側から照らして、第１の投影表示体と第２の投影表示体の表示を重ね合わせて投影する光源とが設けられ、第２の投影表示体を駆動手段によって揺動又は／及び揺動方向と略直角の方向に往復動するようになっているので、重ね合わされて投影された模様が、水面の波模様や、キラキラ光る模様等の従来にない興趣ある模様を形成することができるという効果がある。また、本願発明に係る投影装置は、投影方向を所望する任意の方向に変えることはできるという効果がある。
【図面の簡単な説明】
【図１】本願発明に係る投影装置の一つの実施の形態を示す全体斜視図である。
【図２】図１の投影装置の全体側面断面図である。
【図３】図１の投影装置の全体正面断面図である。
【図４】図１の投影装置の分解斜視図である。
【図５】図１の投影装置の第１の使用状態を示す説明図である。
【図６】図１の投影装置の動きを説明する説明図である。
【図７】図１の投影装置の動きを説明する説明図である。
【図８】図１の投影装置の他の使用状態を示す説明図である。
【符号の説明】
１  投影装置
２  投影部本体
３  基部
３ａ  係止爪
３ｂ  係止爪
１１  周壁
１２  上壁
１２ａ  雌ネジ部
１２ｂ  雌ネジ部
１３  凹部
１５  底壁
１６  前壁
１７  後壁
１８  右壁
１９  左壁
２０  電球（光源）
２１  支軸
２２  フランジ
２４  取付凹部
２５  取付凹部
２７  取付壁
２８  駆動手段
３０  駆動モータ
３１  駆動軸
３２  駆動歯車
３３  第１の取付軸
３５  第２の取付軸
３６  平歯車
３７  小プーリ
３９  ベルト
４０  大プーリ
４１  偏心ピン
４２  取付ボス
４３  ネジ
４５  軸受け板
４６  軸受け孔
５０  枠部材
５１  前桟部
５２  後桟部
５３  右桟部
５４  左桟部
５５  軸受け板
５６  軸受け板
５７  軸受け孔
５９  軸受け孔
６１  突出片
６２  透孔
６３  係合突起
６５  第２の投影表示体
６６  周面
６７  前面
６８  後面
６９  嵌合凹部
７０  嵌合凹部
７１  端縁
７２  端縁
７３  端縁
７５  模様
８０  軸受け部
８１  枠部
８１ａ  開口
８２  軸受け部材
８３  弾性部材
８５  上枠
８５ａ  ガイド縁
８６  下枠
８６ａ  ガイド縁
８９  ネジ
９０  連結部材
９１  ネジ
９２  前面
９３  ガイド溝
９４  第１の係止溝
９５  第２の係止溝
９６  側面
９７  切り欠き
１００  前枠
１０１  隔壁
１０２  枠部
１０３  取付板
１０６  ネジ通し穴
１１０  後枠
１１１  隔壁
１１２  枠部
１１３  取付板
１１５  押さえ板
１１６  ネジ通し穴
１１８  ネジ
１１９  軸受け凹部
１２０  第１の投影表示体
１２１  周面
１２２  前面
１２３  後面
１２５  嵌合凹部
１２６  嵌合凹部
１２７  端縁
１２８  端縁
１３０  模様
１３１  基台
１３２  軸受け壁
１３３  ガイド突起
１３５  ガイド部材
１３６  ネジ
１３７  フランジ
１４０  模様
１４１  電池
１４２  収容部
１４３  ＯＮスイッチ
１４５  ＯＦＦスイッチ
１４６  タイマースイッチ
１５０  電気コード
１５１  開口
１５２  開口
【図１】
2004147703.tif 000003
【図２】
2004147703.tif 000004
【図３】
2004147703.tif 000005
【図４】
2004147703.tif 000006
【図５】
2004147703.tif 000007
【図６】
2004147703.tif 000008
【図７】
2004147703.tif 000009
【図８】
2004147703.tif 000010
【手続補正書】
【提出日】平成14年12月11日(2002.12.11)
【手続補正１】
【補正対象書類名】明細書
【補正対象項目名】特許請求の範囲
【補正方法】変更
【補正の内容】
【特許請求の範囲】
【請求項１】
投影部本体を有し、
投影部本体は、第１の投影表示体と、第１の投影表示体の内側に設けられた第２の投影表示体と、第２の投影表示体と第１の投影表示体の内側から照らして、第１の投影表示体と第２の投影表示体の表示を重ね合わせて投影する光源が設けられた投影装置であって、
第２の投影表示体は、投影部本体に設けられた駆動手段によって揺動するようになっていることを特徴とする投影装置。
【請求項２】
第２の投影表示体は、駆動手段によって揺動方向と略直角の方向に往復動するようになっていることを特徴とする請求項１記載の投影装置。
【請求項３】
投影部本体を有し、
投影部本体は、第１の投影表示体と、第１の投影表示体の内側に設けられた第２の投影表示体と、第２の投影表示体と第１の投影表示体の内側から照らして、第１の投影表示体と第２の投影表示体の表示を重ね合わせて投影する光源が設けられた投影装置であって、
第２の投影表示体は、投影部本体に設けられた駆動手段によって第１の投影表示体と略平行に往復動するようになっていることを特徴とする投影装置。
【請求項４】
投影部本体と基台とからなり、投影部本体は、基台に回動可能且つ回動した位置で静止できるように取り付けられ、投影方向を変えることができるようになっていることを特徴とする請求項１、２又は３記載の投影装置。